(57)【要約】第1のサブネットワークに無線プロトコルを通して無線電子装置によって第1のアクセスポイントとの無線接続を確立することを含んでいる無線通信の方式を開示する。ネットワークアドレスは、電話アドレスを持っている無線電子装置に割当てられる。無線電子装置は第1のサブネットワークから第２のサブネットワークへ移動する。無線接続は第1のアクセスポイントと自動的に切り離され、無線接続は第２のサブネットワークの第２のアクセスポイントとシームレスに確立される。新しいネットワークアドレスは第２のサブネットワークで無線電子装置に割当てられる。あるいは、上述のネットワークアドレスが第２のサブネットワークで無線電子装置に今までどおり割当てられる。
2006506888.tif 000002
【特許請求の範囲】
【請求項１】
ローカルエリアネットワーク(LAN)バックボーンと、
公衆交換電話網(PSTN)と通信する構内交換機(PBX)システムと、
PBXシステムおよびLANバックボーンと通信するゲートウェイと、
LANバックボーンと通信する移動通信システム(MCS)サーバと、
LANバックボーンと通信する第1のノードサーバ、および第1のノードサーバと通信する少なくとも１つの第1のアクセスポイントを含む第1のサブネットワークと、
LANバックボーンと通信する第２のノードサーバ、および第２のノードサーバと通信する少なくとも1つの第２のアクセスポイントを含む第２のサブネットワークと、
無線のプロトコルを通して第1のサブネットワークの少なくとも1つの第1のアクセスポイントと無線接続を持っている無線電子装置とを含み、
無線電子装置が第1のサブネットワークから第２のサブネットワークに移動するとき、第1のアクセスポイントとの無線接続が自動的に切り離され、第２のサブネットワークの少なくとも1つの第２のアクセスポイントにシームレスに再接続される移動通信システム。
【請求項２】
ゲートウェイがPBXシステムのPBXプロトコルとLANバックボーンのインターネットプロトコル(IP)との実時間の相互通信を提供する、請求項1に従った移動通信システム。
【請求項３】
無線電子装置が、携帯情報端末(PDA)、ノートコンピュータ、タブレットコンピュータ、セルラー電話、インターネットプロトコル(IP)ベースの無線電話端末、および携帯用コンピュータから成るグループから選択される、請求項１に従った移動通信システム。
【請求項４】
無線電子装置がデータ通信のためのモバイルインターネットプロトコル(IP)と音声通信のためのセッションイニシエイテッドプロトコルモバイル(SIP-M)を利用する、請求項1に従った移動通信システム。
【請求項５】
無線電子装置が無線でデータと音声を同時に通信するように適合された請求項1に従った移動通信システム。
【請求項６】
無線電子装置が第1のサブネットワークにあるとき、MCSサーバが無線電子装置にネットワークアドレスを割当て、無線電子装置が第1のサブネットワークから第２のサブネットワークへ移動するとき、MCSサーバが無線電子装置に新しいネットワークアドレスを割当てる、請求項1に従った移動通信システム。
【請求項７】
無線電子装置が第1のサブネットワークにあるとき、MCSサーバが無線電子装置にネットワークアドレスを割当て、無線電子装置が第1のサブネットワークから第２のサブネットワークへ移動するとき、MCSサーバが無線電子装置に前述のネットワークアドレスを割当てる、請求項1に従った移動通信システム。
【請求項８】
無線電子装置が電話アドレスと対応するネットワークアドレスを持つ請求項1に従った移動通信システム。
【請求項９】
ネットワークアドレスが別名アドレスである請求項8に従った移動通信システム。
【請求項１０】
別名アドレスがユニフォームリソースロケータ(URL)アドレスである請求項9に従った移動通信システム。
【請求項１１】
ネットワークアドレスがインターネットプロトコル(IP)アドレスである請求項8に従った移動通信システム。
【請求項１２】
電話アドレスがPBX内線電話番号である請求項8に従った移動通信システム。
【請求項１３】
少なくとも拡張版RADIUSと拡張版DIAMETERのうちの１つがローミング中に安全な通信のために利用される、請求項1に従った移動通信システム。
【請求項１４】
MCSサーバが、ユーザ管理、サーバ管理、ノードサーバ管理、呼機能管理、企業統合構成、ポリシー定義と実施、イベント監視、および一般的および特定の報告を実行するシンプルネットワークマネージメントプロトコル(SNMP)管理システムをさらに含む、請求項1に従った移動通信システム。
【請求項１５】
SNMP管理システムがウェブインタフェースを有する請求項14に従った移動通信システム。
【請求項１６】
SNMP管理システムが他のSNMPベースのツールからアクセスされる請求項14に従った移動通信システム。
【請求項１７】
MCSサーバ、第1のノードサーバ、第２のノードサーバ、および無線通信装置は、データユーザが特定の帯域幅を利用することを確実にするためにサービス品質(QOS)モジュールをそれぞれ含む、請求項1に従った移動通信システム。
【請求項１８】
無線通信装置が、呼保持、移送、転送、ボイスメールへの転送、会議呼び出し、企業内呼受信/送信を含んでいる高度な呼機能を含む、請求項1に従った移動通信システム
【請求項１９】
無線のプロトコルを通して無線で通信するように適合された第1のサブネットワークの少なくとも１つの第1のアクセスポイントと、
第1のアクセスポイントと通信する移動通信システム(MCS)ノードサーバと、
無線のプロトコルを通して少なくとも１つの第1のアクセスポイントと無線接続を持っており、電話アドレスとネットワークアドレスを持つ無線電子装置と、
少なくとも１つの第1のアクセスポイントおよび公衆交換電話網(PSTN)と通信し、無線電子装置の電話アドレスに対応する無線電子装置のネットワークアドレスの表を含んでいる移動通信システム(MCS)サーバとを含み、
無線電子装置が第1のサブネットワークから第２のサブネットワークへ移動するとき、少なくとも１つの第1のアクセスポイントとの無線接続が自動的に切り離され、第２のサブネットワークの少なくとも1つの第２のアクセスポイントとシームレスに再接続される移動通信システム。
【請求項２０】
無線電子装置が第２のサブネットワークで新しいネットワークアドレスを割り当てられる請求項19の移動通信システム。
【請求項２１】
無線電子装置が第２のサブネットワークで第１のネットワークで使用していたネットワークアドレスに割り当てられる請求項19の移動通信システム。
【請求項２２】
少なくとも１つの第1のアクセスポイントとの無線接続が自動的に切り離され、信号強度、サービスの品質、およびコストを含んでいる可変ビジネス規則に基づいて第２のサブネットワークの少なくとも1つの第２のアクセスポイントとシームレスに再接続される、請求項19の移動通信システム。
【請求項２３】
無線電子装置が第1のサブネットワークにあるとき、MCSサーバが無線電子装置にネットワークアドレスを割当て、無線電子装置が第1のサブネットワークから第２のサブネットワークへ移動するとき、MCSサーバが無線電子装置に新しいネットワークアドレスを割当てる、請求項19に従った移動通信システム。
【請求項２４】
ネットワークアドレスが別名アドレスである請求項19に従った移動通信システム。
【請求項２５】
別名アドレスがユニフォームリソースロケータ(URL)アドレスである請求項24に従った移動通信システム。
【請求項２６】
ネットワークアドレスがインターネットプロトコル(IP)アドレスである請求項19に従った移動通信システム。
【請求項２７】
無線電子装置が、携帯情報端末(PDA)、ノートコンピュータ、タブレットコンピュータ、セルラー電話、インターネットプロトコル(IP)ベースの無線電話端末、および携帯用コンピュータから成るグループから選択される、請求項19に従った移動通信システム。
【請求項２８】
電話アドレスが構内交換機(PBX)内線電話番号である請求項19に従った移動通信システム。
【請求項２９】
無線電子装置が、データ通信のためのモバイルインターネットプロトコル(IP)および音声通信のためのセッションイニシエイテッドプロトコルモバイル(SIP-M)を利用する請求項19に従った移動通信システム。
【請求項３０】
無線電子装置がデータ通信と音声通信の両方のためにモバイルインターネットプロトコル(IP)を利用する請求項19に従った移動通信システム。
【請求項３１】
無線電子装置が無線でデータと音声を同時に通信するように適合された請求項19に従った移動通信システム。
【請求項３２】
公衆交換電話網(PSTN)および移動通信システム(MCS)サーバと通信する構内交換機(PBX)システムをさらに含む請求項19に従った移動通信システム。
【請求項３３】
第1のサブネットワークの無線のプロトコルを通して無線電子装置によって少なくとも１つの第1のアクセスポイントと無線接続を確立し、
電話アドレスを持っている無線電子装置にネットワークアドレスを割当て、
第1のサブネットワークから第２のサブネットワークへローミングし、
少なくとも１つの第1のアクセスポイントとの無線接続を自動的に切り離し、
第２のサブネットワークの少なくとも1つの第２のアクセスポイントとシームレスに無線接続を確立し、
第２のサブネットワークで無線電子装置に新しいネットワークアドレスを割当てることを含む無線通信方法。
【請求項３４】
無線電子装置のネットワークアドレスを有する表を無線電子装置の電話アドレスに対応している新しいネットワークアドレスで更新することをさらに含む請求項33に従った方法。
【請求項３５】
無線電子装置が、携帯情報端末(PDA)、ノートコンピュータ、タブレットコンピュータ、セルラー電話、インターネットプロトコル(IP)ベースの無線電話端末、および携帯用コンピュータから成るグループから選択される、請求項33に従った方法。
【請求項３６】
データ通信のためにモバイルインターネットプロトコル(IP)を利用し、音声通信のためにセッションイニシエイテッドプロトコルモバイル(SIP-M)を利用することをさらに含む請求項33に従った方法。
【請求項３７】
電話アドレスが構内交換機(PBX)内線電話番号である請求項33に従った方法。
【請求項３８】
無線接続上で音声データと非音声データを同時に通信することをさらに含む請求項33に従った方法。
【請求項３９】
機械可読記憶媒体と、
機械可読記憶媒体に記憶された機械可読プログラムコードとを含み、プログラムコードが、
第1のサブネットワークの無線のプロトコルを通して少なくとも１つの第1のアクセスポイントと無線接続を確立し、
電話アドレスに対応しているネットワークアドレスを受信し、
無線電子装置が第1のサブネットワークから第２のサブネットワークへ移動するとき、少なくとも１つの第1のアクセスポイントとの無線接続を自動的に切り離し、
第２のサブネットワークの少なくとも1つの第２のアクセスポイントとシームレスに無線接続を確立し、
第２のサブネットワークで新しいネットワークアドレスを受信する指示を有する、プログラムコード記憶装置。
【請求項４０】
機械可読プログラムコードが、ネットワークアドレスを有する表を電話アドレスに対応している新しいネットワークアドレスで更新する指示をさらに含む、請求項39に従ったプログラムコード記憶装置。
【請求項４１】
無線電子装置が、携帯情報端末(PDA)、ノートコンピュータ、タブレットコンピュータ、セルラー電話、インターネットプロトコル(IP)ベースの無線電話端末、および携帯用コンピュータから成るグループから選択される、請求項39に従ったプログラムコード記憶装置。
【請求項４２】
機械可読プログラムコードが、データ通信のためにモバイルインターネットプロトコル(IP)を利用し、音声通信のためにセッションイニシエイテッドプロトコルモバイル(SIP-M)を利用する指示をさらに含む請求項39に従ったプログラムコード記憶装置。
【請求項４３】
電話アドレスが構内交換機(PBX)内線電話番号である請求項39に従ったプログラムコード記憶装置。
【請求項４４】
機械可読プログラムコードが無線接続上で音声データと非音声データを同時に通信する指示をさらに含む、請求項39に従ったプログラムコード記憶装置。
【発明の詳細な説明】
【技術分野】
【０００１】
本発明の実施例は無線のネットワーク通信システムに関連する。なお特に、本発明の実施例は携帯無線電子装置を利用する実時間の音声とデータ通信セッションの安全なシームレスローミングをサポートする無線のネットワーク通信システムに関する。
【背景技術】
【０００２】
つい先頃まで、離散的な技術は離散的な目的をもっていた。電話機は電話をかけるため、オフィス用のコンピュータはデータベースにアクセスするためであったし、携帯情報端末(PDA)は簡単なスケジューリング装置であった。しかし、変化しているますます移動しやすいビジネスの必要性は新しい戦略：ほとんどどんな装置によっても、企業を通しておよび範囲を越えてアクセスされることができるサービスのフレキシブルなアレイへのビジネス通信技術の融合を要求した。
【０００３】
したがって、移動コンピューティングはより一般的になった。近年、ノートブックパーソナルコンピュータ（ノートPC）とPDAの開発が増進した。この開発はオフィスまたはデスクの背後以外の場所で生産的であるべきというユーザの増加する必要性の結果である。会社はより多くの仕事がより少ない人々で達成されることを要求している。生産性増加は無線の投資利益率(ROI)ための主要な評価基準である。仮想プライベートネットワーク(VPN)と有線および無線のモデムはオフィス外で法人のデータへの安全なアクセスを可能にする。そして、ネットワーク(W-LAN)である無線のローカルな展開はまた、学校と法人のキャンパスを増やしている。
【０００４】
公共のW-LANは回路切り換えまたはパケット切り換えセルラーデータ接続に実行可能な代替として現われている。そのうえ、LANにおける音声とデータの融合は急速に起こっている。いくつかの会社がインターネットプロトコル(IP)電話の広範囲な採用に向かって押し進めている。多くのオフィス内と企業内は現在、伝統的な回路切り換え方式からパケットまたはセルとして転送されかつ切り換えられるトラヒックに移転している。そのうえ、例えば、H.323、セッションイニシエイテッドプロトコル(SIP)、イーサネット上の電力伝送(またはPower over LAN)などのIP上の音声伝送(VoIP)を支配している規格は、成立および設立されており、それはパケットベースの通信の容認と採用をさらに促進する。
【０００５】
パーソナルコンピュータ(PC)、PDA、および他の装置は、より多くの音声とマルチメディア通信を管理している。より多くの電話機がデータネットワークに接続され、その結果電話をかけることに加えて、それらはディレクトリサービス、メッセージサービス、および他のデータベース情報にアクセスすることができる。これらの音声、データ、および他のマルチメディアリソースに接続されている、オフィスまたはキャンパスの中および周辺、家庭、またはそれらの間のどこかにかかわらず、生産性と応答性のための新しいビジネス需要にこたえることは重要である。
【発明の開示】
【発明が解決しようとする課題】
【０００６】
従って、ユーザがオフィスや学校のキャンパスのような共同体の中をローミングしている間に、かれらのデスクで有するのと同じリソースへの安全なシームレス移動アクセスをユーザに提供するため、構内交換機(PBX)のような音声ネットワーク、およびLANやインターネットなどのデータネットワークと接続することができる無線通信システムを持つことが望ましい。
【発明を実施するための最良の形態】
【０００７】
図1は本発明の実施例による移動通信システムを示す。ローカルエリアネットワーク(LAN)バックボーン110は移動通信システム100の様々な構成要素間の接続性を提供する。移動通信システム100の心臓部は移動通信システム(MCS)サーバ140であり、そのサーバは全体のシステム100の主制御を提供する。ToshibaのStrate-CTXシステムなどの構内交換機(PBX)システム120は、公衆交換電話網102に接続される。PBXシステム120はまた、時分割多重化(TDM)ネットワーク104(また、デジタル専用回線として知られている)と接続を持つかもしれない。Ciscoの2600インテリジェントメディアゲートウェイなどのゲートウェイ130が、PBXシステム120とLANバックボーン110を相互接続する。ゲートウェイ130は、例えば、PBXプロトコルとインターネットプロトコル(IP)間のような2つのプロトコル間の通信を可能にするリエゾンである。
【０００８】
移動通信システム100はルータ150とファイアウォール152を通してインターネット106などの広域ネットワーク(WAN)に接続される。仮想プライベートネットワーク(VPN)サーバ148は移動通信システム100に含まれ、例えば、IPセキュリテイ(IP Sec)プロトコルを利用しているシステム100への安全と暗号化/解読能力を提供する。遠隔認証ダイヤルインユーザサービス(RADIUS)サーバ156が移動通信システム100に含まれ、システム100のタイプのユーザの認証および計算を提供する。また、他の認証プロトコルとサーバシステムが実装され、例えば、ダイアメータ（Diameter）プロトコルなどの他の認証プロトコルとの統合が実行されるかもしれない。その上、ドメインサーバ154が移動通信システム100に含まれ、インターネット106のようなWANへおよびWANからのアクセスを容易にする。
【０００９】
アプリケーションサーバ142が移動通信にシステム100に含まれ、システム100にアプリケーションを記憶しかつ提供する。データベース144がまた移動通信システム100に含まれ、データベース記憶とシステム100への機能性を提供する。Dynamic Host Configuration Protocol(DHCP)および/またはDynamic Rapid Configuration Protocol (DRCP)サーバ146がLANバックボーン110に接続され、ネットワークのノードにIPアドレスを割当てる。
【００１０】
多くの無線電子装置10、20、30、40が無線のプロトコルを通して移動通信システム100と無線で通信する。無線電子装置10、20、30、40はアクセスポイント191、192、193、194と無線で通信し、アクセスポイントは例えば、望ましくは無線周波数(RF)トランシーバーであり、スイッチ171、172を通してノードサーバ181、182と通信している。スイッチ171、172はLANバックボーン110に接続されたルータ160に接続される。スイッチ171、第1のノードサーバ181、アクセスポイント191、193、および無線電子装置10、20(ローミングの前)は第1のサブネットワーク、即ち仮想ローカルエリアネットワーク(VLAN 1)を形成する。スイッチ172、第２のノードサーバ182、アクセスポイント192、194、および無線電子装置20(ローミングの後)30、40は第２のサブネットワーク、即ち仮想ローカルエリアネットワーク(VLAN 2)を形成する。
【００１１】
各無線電子装置10、20、30、40は、第1のノードサーバ181と第２のノードサーバ182にこの情報(例えば、証明書を通して)を中継するMCSサーバ140によって認証され、説明され、かつ認可される。従って、無線電子装置20が1つのサブネットワークから別のサブネットワークへ移動／ロームするとき、無線電子装置20は対応している第1のノードサーバ181か第２のノードサーバ182とだけ通信して再認証する必要があり、LANバックボーン110を横切ってMCSサーバ140に戻る通信パスは必要ない。Protocol for carrying Authentication for Network Access (PANA)は、それらが移動するとき、クライアント(即ち、無線電子装置)を認証するために認証、会計、および認可機能(AAA)を提供するのに利用されるかもしれない。PANAは無線接続上で安全な認証をサポートするレイヤ 3ネットワーク認証プロトコルである。PANAはサブネットワークの間およびW-LANとセルラーパケットベースのネットワークとの間で同様にシームレスのローミングをサポートする。
【００１２】
例えば、無線電子装置20は第1のサブネットワークのアクセスポイント193との無線接続を確立する。従って、無線電子装置20は、インターネット106とPBXシステム120に対するアクセスを含んでいる移動通信システム100ネットワークとそのすべてのリソースへのアクセスを提供される。本発明の実施例によると、無線電子装置20は、電話アドレスまたは番号(即ち、PBX内線番号)を持っている無線電話として機能するように適合される。無線電子装置20は、まるでそれがボイスメール、会議呼出し、呼待ち、呼転送／移送、ディレクトリルックアップなどを含む有線電話であるかのように、PBXシステム120のPBXの機能性のすべてにアクセスすることができる。その上、無線電子装置20はまた、インターネット106へのアクセスを含む法人のLANに接続されたデスクトップコンピュータと利用可能なソフトウェアアプリケーションのように機能するように適合されるかもしれない。
【００１３】
本発明の実施例によると、無線電子装置10、20、30、40は、音声通信(パケットベース)のためのセッションイニシエイテッドプロトコルモバイル(SIP-M)を利用し、かつデータ通信のためのモバイルインターネットプロトコル(モバイルIP)を利用する。SIP-MとモバイルIPプロトコルの両方の統合が無線電子装置10、20、30、40のローミング能力へのより大きい柔軟性を提供する。モバイルIPはネットワークレイヤで動くインターネットエンジニアリングタスクフォース(IETF)の標準のプロトコルである。モバイルIPは無線のPC、無線のPDA、または他の移動ノードを許容し、1つのネットワークリンクから別のものへ通信を中断することなく移動する。W-LANの構成では、無線のノートPCは、1つのビルから別のビルへ、ファイルダウンロードまたは参照ストリームを中断することなく、かつそれらのネットワーク/IPアドレスを更新することをユーザに要求することなく、新しいサブネットワークに物理的に移動するかもしれない。SIP-Mはアプリケーション間で情報転送セッションを開始するIP通信のためのIETF標準プロトコルである。中央交換素子を通して作動する伝統的な電気通信モデルと異なって、SIP-Mは、電話のようなサービスの制御を、SIPベースのPDA、ノートPC、タブレットPCクライアントまたはSIPベースの移動電話といったネットワークの終点に動かされるようにする。SIP-Mはフレキシブルであって拡張可能であり、ビデオ、電話、メッセージング通信または即時メッセージング通信、およびコラボレーションを含む多くの異なったタイプのアプリケーションをサポートする。しかしながら、幾つかの他の適当なプロトコルまたは複数のプロトコルが音声通信、データ通信または両方のために利用されるかもしれない。
【００１４】
無線接続がアクセスポイント193でいったん確立されると、ネットワークアドレスは無線電子装置20に割当てられる。無線電子装置20が第1のサブネットワークの中で別のアクセスポイント191に移動するなら、そのネットワークアドレスは変化しないが、無線接続が1つのアクセスポイント193から単に切り離され、他のアクセスポイント191と再確立される。無線電子装置がどのアクセスポイントと無線接続を確立すべきであるかを決定するために、サービス(QOS)プロトコルまたはビジネス規則の様々な品質が実行されるかもしれない。例えば、無線電子装置はそれが範囲内にある多くのアクセスポイントから選ばれているとき、信号強度と利用可能な帯域幅は考慮にいれる要素であるかもしれない。ある場合においては、より弱い信号強度を有するが帯域幅のより大きい利用価値を有するアクセスポイントとの無線接続を確立することが、より強い信号を有するが29人の他のユーザが既に接続したアクセスポイントと比較してより望ましいかもしれない。
【００１５】
無線電子装置20が第1のサブネットワークのアクセスポイント191、193から第２のサブネットワークへ範囲外に移動するとき、第1のサブネットワークのアクセスポイント193との無線接続は自動的に切り離され、第２のサブネットワークの第２のアクセスポイント192とシームレスに再確立される。ローミングのためにSIP-Mを利用している実施例において、無線電子装置20が1つのサブネットワークから別のサブネットワークへ移動するので、新しいネットワークアドレスが無線電子装置20に割当てられる。ローミングのためにモバイルIPを利用している実施例では、無線電子装置20が１つのサブネットから別のサブネットへ移動するとき、移動前と同じネットワークアドレスが無線電子装置に割当てられる。
【００１６】
MCSサーバ140は、例えば、システム100のタイプの各無線電子装置10、20、30、40の電話番号/アドレス(例えば、PBX内線番号)に対応するネットワークアドレスの表を管理する。表(例えば、以下の表1を参照)はまた、別名アドレス（エイリアス）、またはユニフォームリソースロケータ(URL)アドレス、例えばmailto:joe.doe@toshiba.com,を含み、無線電子装置10、20、30、40の電話番号またはアドレスに対応しているかもしれない。無線電子装置20が第1のサブネットワークから第２のサブネットワークへ移動するとき、第２のサブネットワークで無線電子装置20に割当てられる新しいネットワークアドレス(即ち、別名/URLアドレス)は表で更新される。システム100内の無線電子装置10、20、30、40の１つから同じサブネットワーク上、または別のサブネットワークの何れかの別のものへの通話呼と同様に、表はPSTN 102から無線電子装置10、20、30、40へ入来通話呼のルート設定を可能にする。ローカルコピーがLANバックボーン110を横切る必要なくアクセス可能なように、表は第1のノードサーバ181と第２のノードサーバ182に転送されるかもしれない。無線電子装置10、20、30、40はまた、正常な仕方で通常の電話番号をダイヤルすることによりPSTN 102に呼び出させ、無線電子装置10、20、30、40はそのような外向の電話をかけるためにPBXシステム120と通信する。
【００１７】
【表１】
2006506888.tif 000003
MCSサーバ140は望ましくは、ユーザ管理、サーバ管理、ノードサーバ管理、呼機能管理、企業統合構成（企業ネットワークやシステムとの統合化機能の用いる設定）、ポリシー定義および実施、イベント監視、および一般的および特定の報告を実行する簡単なネットワークマネージメントプロトコル(SNMP)管理システムを含んでいる。SNMPエージェントは望ましくは、MCSサーバ140と通信を可能にするために第1のノードサーバ181と第２のノードサーバ182に含まれる。SNMP管理システムはウェブベースインタフェースを持っているウェブベースシステムであるかもしれない。
【００１８】
MCSサーバ140、第1のノードサーバ181、第２のノードサーバ182、および無線電子装置10、20、30、40はそれぞれサービス品質(QOS)モジュールを含むかもしれない。サービス品質モジュールは、音声のユーザのために利用可能な残りの帯域幅を取っておき、データユーザが特定の帯域幅(第1のノードサーバ181または第２のノードサーバ182からクライアント装置ネットワーク100のアクセスポイント192、193への)だけを使用することを確実にするかもしれない。QOSを利用しない発明の実施例では、ユーザは良い音声の品質で音声呼を始めることができても、別のユーザが大きい電子メールアタッチメントを開くならば、この音声品質は急速に低下するであろう。
【００１９】
DRCPなどのIPアドレスをすばやく割り当てるプロトコルを利用することによって、1つのサブネットワークから別のサブネットワークへの無線電子装置20のローミングは、略50-100ミリセカンド(ms)以下のハンドオフ時間でシームレスに行われる。従って、ハンドオフ時間が非常に短いので、1つのサブネットワークからの切断および別のものとの再接続は、例えば無線電子装置10、20、30、40で音声の会話を続けているユーザにより気付かれない。無線電子装置10、20、30、40は望ましくは電話の特徴(即ち、スピーカーとマイクロホン)を持っている任意の電子装置であり、PDA、ノートPC、タブレットPC、セルラーまたは移動電話(例えば、IEEE 802.11b“Wi-Fi”IP電話(H.323電話))、インターネットプロトコル(IP)ベースの無線電話端末、携帯用コンピュータなどどんな適当な装置であってもよい。その上、無線電子装置10、20、30、40は望ましくは、1つのサブネットワークから別のサブネットワークへローミング中でさえ、無線接続上で音声とデータの両方の同時通信ができる。
【００２０】
図1で示した移動通信システム100はローカルエリアネットワーク(LAN)での実現を示すが、システム100は、各サブネットワークがセルラー電話ネットワーク(および既存のセルラー電話ネットワークインフラストラクチャを利用することでさえあるかもしれない) 同様な多くの無線セルにて構成し、その結果世界のすみずみへ無線電子装置10、20、30、40の無線の機能性を大きく拡張するような、グローバル/広域ネットワーク(WAN)スケールでさらに広く実施されてもよい。
【００２１】
無線電子装置10、20、30、40は高度な呼の機能を含むかもしれない。高度な呼の機能とは呼の保持、移送、転送、ボイスメールへの転送、会議呼び出しなどを含むかもしれない。これらは非電話システム装置がすることができる、通常ただ呼を成しかつ受けることであるものと通常関連づけられない。別の高度な呼の機能は、ビジネス企業の中で呼を受信または送信するために内部の4か5桁の呼び出す機能の提供である。
【００２２】
上記は本発明の特定の実施例について言及したが、その精神から逸脱することなく多くの変更が成されることが理解されるであろう。付随の請求項は本発明の真の範囲と精神に入るであろうかかる変更をカバーするように意図される。したがって、ここに開示された実施例はあらゆる点で例示としておよび制限ではなく、前述よりもむしろ添付請求項により指示された発明の範囲を考慮されるべきであり、したがって、請求項と同等の意味および範囲内に入るすべての変化は、その中に包含されるように意図される。
【図面の簡単な説明】
【００２３】
【図１】本発明の実施例にしたがった移動通信システムを示す。
【図１】
2006506888.tif 000004
【国際調査報告】
2006506888.tif 000005
2006506888.tif 000006
2006506888.tif 000007